(57)【要約】【課題】  単体としてタンク油量を計る機能を有しながら、車種毎の計測用パイプの長さに合わせて全長を長くすることのできるオイルレベルゲージを提供する。【解決手段】  基本本体１と延長本体２とからなり、基本本体１又は延長本体２の各ゲージ部12,22は、ロッド部11,21下端に設ける板部材111,211に、目盛線121,221とこの目盛線121,221を上下に挟む上目盛凸条122,222及び下目盛凸条123,223とからなる目盛を設けてなり、延長本体２の接続部23は、内向きの掛止爪232を設けたゲージ部12,22に対する外嵌部材で、接続部23をゲージ部12,22に外嵌した状態で掛止爪232を上目盛凸条122,222又は下目盛凸条123,223に係合することにより、基本本体１及び延長本体２を、又は延長本体２,２相互を接続してなるオイルレベルゲージ3である。【選択図】  図１
2006098210.tif 000002
【特許請求の範囲】
【請求項１】
基本本体と延長本体とからなり、基本本体及び延長本体を、又は延長本体相互を接続することで、基本本体単独の長さから基本本体に複数の延長本体を相互接続した長さまでの範囲で全長を調整できるオイルレベルゲージであって、基本本体はハンドル部、ロッド部及びゲージ部から、延長本体は接続部、ロッド部及びゲージ部からなり、基本本体又は延長本体の各ゲージ部は、ロッド部下端に設ける板部材又は棒部材に、目盛線と該目盛線を上下に挟む上目盛凸条及び下目盛凸条とからなる目盛を設けてなり、延長本体の接続部は、内向きの掛止爪を設けたゲージ部に対する外嵌部材で、接続部をゲージ部に外嵌した状態で掛止爪を上目盛凸条又は下目盛凸条に係合することにより、基本本体及び延長本体を、又は延長本体相互を接続してなるオイルレベルゲージ。
【請求項２】
基本本体と延長本体とからなり、基本本体及び延長本体を、又は延長本体相互を接続することで、基本本体及び延長本体を接続した長さから基本本体に複数の延長本体を相互接続した長さまでの範囲で全長を調整できるオイルレベルゲージであって、基本本体はハンドル部及びゲージ部から、延長本体は接続部、ロッド部及びゲージ部からなり、基本本体又は延長本体の各ゲージ部は、ロッド部下端に設ける板部材又は棒部材に、目盛線と該目盛線を上下に挟む上目盛凸条及び下目盛凸条とからなる目盛を設けてなり、延長本体の接続部は、内向きの掛止爪を設けたゲージ部に対する外嵌部材で、接続部をゲージ部に外嵌した状態で掛止爪を上目盛凸条又は下目盛凸条に係合することにより、基本本体及び延長本体を、又は延長本体相互を接続してなるオイルレベルゲージ。
【請求項３】
基本本体又は延長本体の各ゲージ部は、板部材又は棒部材に設ける目盛の目盛線が凸条であり、接続部をゲージ部に外嵌した状態で掛止爪を目盛線に係合することにより、基本本体及び延長本体を、又は延長本体相互を接続してなる請求項１又は２いずれか記載のオイルレベルゲージ。
【請求項４】
基本本体又は延長本体の各ゲージ部は、板部材又は棒部材に設ける目盛線と該目盛線を上下に挟む上目盛凸条及び下目盛凸条とからなる目盛以外に掛止凸条を設けてなり、接続部をゲージ部に外嵌した状態で掛止爪を掛止凸条に係合することにより、基本本体及び延長本体を、又は延長本体相互を接続してなる請求項１又は２いずれか記載のオイルレベルゲージ。
【請求項５】
基本本体又は延長本体の各ゲージ部は、目盛線と該目盛線を上下に挟む上目盛凸条及び下目盛凸条とからなる目盛を上下に挟んで上目盛凸条及び下目盛凸条より凸な上方内嵌部及び下方内嵌部を設けてなり、上方内嵌部及び下方内嵌部は、ゲージ部に外嵌する接続部の内断面形状に等しい外断面形状にしてなる請求項１〜４いずれか記載のオイルレベルゲージ。
【請求項６】
上方内嵌部及び下方内嵌部は、ゲージ部を構成する板部材又は棒部材に立設した壁面からなる請求項５記載のオイルレベルゲージ。
【請求項７】
上方内嵌部は、接続部の上端が当接する掛止段差を有する請求項５記載のオイルレベルゲージ。
【発明の詳細な説明】
【技術分野】
【０００１】
本発明は、自動車のエンジンオイル、オートマチックトランスミッションオイル（ATF）等のタンク油量を計測するオイルレベルゲージに関する。
【背景技術】
【０００２】
自動車のエンジンオイル、オートマチックトランスミッションオイル（ATF）等のタンク油量を計るオイルレベルゲージは、手に持って取り扱う部位であるハンドル部、計測用パイプに挿入するロッド部、そしてロッド部下端のゲージ部から構成される。ゲージ部は、ロッド部の延設方向に並ぶ目盛を設けてある。タンク油量は、オイルタンクから計測用パイプへ流入するオイルに前記ゲージ部を没入させ、目盛のどこまでにオイルが付着したかを見ることで計測する。
【０００３】
計測用パイプは直線部分ばかりではないため、旧来のオイルレベルゲージは可撓性のある金属製ワイヤ等でロッド部を作り、ハンドル部及びゲージ部を樹脂製とするものも少なくなかった。しかし、近年のオイルレベルゲージは、軽量化、低コスト化の観点から、少なくともロッド部及びゲージ部を一体に樹脂製とするものが増えてきている。こうした樹脂製のオイルレベルゲージとしては、特許文献１又は特許文献２記載のオイルレベルゲージを例示できる。
【０００４】
特許文献１記載のオイルレベルゲージは、ロッド部及びゲージ部を一体に樹脂製にしたオイルレベルゲージで、計測用パイプの開口端に被さるキャップ部を含むハンドル部（取手部）をロッド部上端に取り付けている。特許文献２のオイルレベルゲージは、ロッド部（中間部）及びゲージ部を一体に樹脂製にしたオイルレベルゲージで、同じく樹脂製としたハンドル部をロッド部上端に嵌合して連結している。特許文献２では、別例として、ロッド部及びゲージ部を別体の樹脂製とし、ゲージ部をロッド部下端に嵌合して連結するオイルレベルゲージも挙げている。
【０００５】
特許文献２記載のオイルレベルゲージは、ハンドル部、ロッド部、そしてゲージ部を分割し、ロッド部の長さを加減して製造することで、車種毎に異なる計測用パイプの長さに合わせた全長を実現する。このように、オイルレベルゲージの全長を調整するには、ロッド部の長さを加減するとよい。例えば特許文献３記載のオイルレベルゲージは、ロッド部下方の複数個所に目盛（表示部）を設けてロッド部を折り畳めるようにしたり、摺動可能な二重のロッド部に目盛を設けることで、全長を調整できるようにしている。
【０００６】
【特許文献１】特開平08-029234号公報（２頁及び３頁、図１及び図２）
【特許文献２】特開2002-106318号公報（３頁〜５頁、図１）
【特許文献３】特開平07-333035号公報（２頁及び３頁、図１〜図５）
【発明の開示】
【発明が解決しようとする課題】
【０００７】
計測用パイプは、蛇行させる等して、開口端までの長さをある程度加減できるが、どうしても車種毎に長さが異なることは否めない。こうした車種事に異なる計測用パイプに合わせた全長を有するオイルレベルゲージを作る手段としては、特許文献１に見られるオイルレベルゲージを各車種に応じて複数種類作る手段と、特許文献２又は特許文献３に見られるように、ロッド部の長さを加減して作る手段とが考えられる。
【０００８】
特許文献１に見られるように、オイルレベルゲージを各車種に応じて複数種類作る手段は、全長の異なるオイルレベルゲージの種類だけ成形型（通常射出成形型）を必要とする問題がある。しかも、ロッド部が長尺になるほどオイルレベルゲージを射出成形により製造することが技術的に難しくなり、事実上製造できなくなる問題もある。更に、技術的に難しくなる射出成形を採用すると、製造コストが高くなる問題もある。これらは、いずれも射出成形を採用する製造上の制約である。
【０００９】
また、特許文献２に見られるように、ロッド部の長さを加減して作る手段については、長尺なロッドを作っておき、これを分断して長さを加減するとすれば、少なくとも多数の成形型を要する問題は解決される。しかし、こうしたロッドを射出成形によって作るとすれば、やはり射出成形を採用する製造上の制約を受けざるを得ない。これは、特許文献３でも同様である。このように、従来のオイルレベルゲージは、全長を短くすることはできても、射出成形を採用する製造上の制約から、長くすることが難しかったわけである。
【００１０】
実際には、あまり長尺なオイルレベルゲージが必要になることは少ないが、そうした稀少要求に応じるには、従来のオイルレベルゲージでは不可能だった。そこで、単体としてタンク油量を計る機能を有しながら、車種毎の計測用パイプの長さに合わせて全長を長くすることのできるオイルレベルゲージを開発するため、検討した。
【課題を解決するための手段】
【００１１】
検討の結果開発したものが、基本本体と延長本体とからなり、基本本体及び延長本体を、又は延長本体相互を接続することで、基本本体単独の長さから基本本体に複数の延長本体を相互接続した長さまでの範囲で全長を調整できるオイルレベルゲージであって、基本本体はハンドル部、ロッド部及びゲージ部から、延長本体は接続部、ロッド部及びゲージ部からなり、基本本体又は延長本体の各ゲージ部は、ロッド部下端に設ける板部材又は棒部材に、目盛線とこの目盛線を上下に挟む上目盛凸条及び下目盛凸条とからなる目盛を設けてなり、延長本体の接続部は、内向きの掛止爪を設けたゲージ部に対する外嵌部材で、接続部をゲージ部に外嵌した状態で掛止爪を上目盛凸条又は下目盛凸条に係合することにより、基本本体及び延長本体を、又は延長本体相互を接続するオイルレベルゲージである。
【００１２】
本発明のオイルレベルゲージは、ゲージ部の目盛線を上下に挟んで設けられる上目盛凸条又は下目盛凸条を利用して、基本本体及び延長本体、又は延長本体相互を接続する。ここで、接続を担う基本本体及び延長本体のゲージ部自体は、従来のオイルレベルゲージに見られたゲージ部と構造的に変わりはなく、従来同様に使用できる。これから、基本本体のロッド部を最も短尺な場合に合わせて長さを設定しておくと、基本本体を単独でオイルレベルゲージとして利用が可能である。後は、車種毎に異なる計測用パイプに応じて必要な延長分に等しい延長本体を製造し、前記基本本体に接続すればよい。
【００１３】
基本本体は、ハンドル部、ロッド部及びゲージ部を別体で構成してもよいが、全体、又は少なくともロッド部及びゲージ部を一体の樹脂製で構成するとよい。同様に、延長本体も、接続部、ロッド部及びゲージ部を別体で構成してもよいが、少なくともロッド部及びゲージ部を一体の樹脂製で構成するとよく、より好ましくは全体を一体の樹脂製で構成するとよい。ここで、本発明のオイルレベルゲージは、基本本体及び延長本体の接続によって要求される全長を満足することから、各基本本体又は延長本体それぞれの単独長さは比較的短くて済み、射出成形を採用することによる製造上の制約を受けなくて済み、比較的容易かつ安価に製造できる利点を有する。
【００１４】
基本本体に延長本体を接続することで、延長本体の数により全長を調整する考え方を押し進めると、次のようなオイルレベルゲージも考えられる。すなわち、基本本体と延長本体とからなり、基本本体及び延長本体を、又は延長本体相互を接続することで、基本本体及び延長本体を接続した長さから基本本体に複数の延長本体を相互接続した長さまでの範囲で全長を調整できるオイルレベルゲージであって、基本本体はハンドル部及びゲージ部から、延長本体は接続部、ロッド部及びゲージ部からなり、基本本体又は延長本体の各ゲージ部は、ロッド部下端に設ける板部材又は棒部材に、目盛線とこの目盛線を上下に挟む上目盛凸条及び下目盛凸条とからなる目盛を設けてなり、延長本体の接続部は、内向きの掛止爪を設けたゲージ部に対する外嵌部材で、接続部をゲージ部に外嵌した状態で掛止爪を上目盛凸条又は下目盛凸条に係合することにより、基本本体及び延長本体を、又は延長本体相互を接続するオイルレベルゲージでもよい。
【００１５】
基本本体及び延長本体、又は延長本体相互の接続状態は、ゲージ部の上目盛凸条又は下目盛凸条に接続部の掛止爪を係合して維持される。これは、ゲージ部に設ける目盛りの構成要素である上目盛凸条又は下目盛凸条を被係合部位として利用したものである。これから、上目盛凸条又は下目盛凸条に代わる被係合部位がゲージ部にあれば、その代替部位に係合爪を係合させ、基本本体及び延長本体、又は延長本体相互の接続状態を維持できる。具体的なゲージ部は、板部材又は棒部材に設ける目盛線が凸条であり、接続部をゲージ部に外嵌した状態で掛止爪を目盛線に係合することにより、基本本体及び延長本体を、又は延長本体相互を接続する構成や、板部材又は棒部材に設ける目盛線とこの目盛線を上下に挟む上目盛凸条及び下目盛凸条とからなる目盛以外に掛止凸条を設け、接続部をゲージ部に外嵌した状態で掛止爪を掛止凸条に係合することにより、基本本体及び延長本体を、又は延長本体相互を接続する構成を例示できる。
【００１６】
接続部は、ゲージ部に接続した状態で、掛止爪が上目盛凸条、下目盛凸条、目盛線又は掛止凸条（以下、上目盛凸条等）から遠ざからないように位置固定できる構造の嵌合部材であればよい。最も簡易な接続部は、対となる挟持部分でゲージ部を挟持し、前記挟持部分の一方に掛止爪を内向きに設け、ゲージ部の上目盛凸条等に係合させる構成が考えられる。この場合、上目盛凸条等から掛止爪が遠ざからないように位置固定するため、対となる挟持部分を結んで相互に拘束する必要があることから、実質的には、接合部はゲージ部に対する嵌合部材となる。
【００１７】
これから、より好ましい接続部は、ゲージ部を構成する板部材を包み込む箱体又は棒部材を包み込む筒体からなる嵌合部材で構成するとよい。前記箱体又は筒体は、ゲージ部を内嵌するために上方を開口しており、側面の一部に内向きの掛止爪を設ける構成になる。この箱体又は筒体から接続部を構成した場合、ゲージ部及び接続部は、互いに緊密に嵌合できると接続状態が安定する。具体的には、接続部の中空部分内周の断面形状＝内断面形状と、ゲージ部の外周の断面形状＝外断面形状とが一致するとよい。しかし、ゲージ部の外断面形状は高さ方向に上目盛凸条又は下目盛凸条の部分で最も大きくなるが、前記上目盛凸条又は下目盛凸条は高さ方向に短いため、この上目盛凸条又は下目盛凸条の部分で、接続部の内断面形状とゲージ部の外断面形状とを一致させることは難しい。
【００１８】
そこで、基本本体又は延長本体の各ゲージ部は、目盛線とこの目盛線を上下に挟む上目盛凸条及び下目盛凸条とからなる目盛を上下に挟んで上目盛凸条及び下目盛凸条より凸な上方内嵌部及び下方内嵌部を設け、上方内嵌部及び下方内嵌部は、ゲージ部に外嵌する接続部の内面形状に等しい外断面形状にするとよい。これにより、接続部及びゲージ部は、緊密に嵌合できる。ここで、上方内嵌部又は下方内嵌部が形成する外断面形状は、上方内嵌部又は下方内嵌部の表面に沿った断面形状のみならず、例えば部分的に設けられる上方内嵌部又は下方内嵌部の各部分を直線又は曲線で結んだ倣い断面形状をも含む。具体的な上方内嵌部及び下方内嵌部は、ゲージ部を構成する板部材又は棒部材に立設した壁面からなる構成が好ましい。また、上方内嵌部は、接続部の上端が当接する掛止段差を有する構成が好ましい。このほか、上方内嵌部及び下方内嵌部は、ゲージ部の目盛が計測用パイプに擦れ合わないようにする目盛保護作用も有する。
【発明の効果】
【００１９】
本発明により、車種毎の計測用パイプの長さに合わせて全長を長くすることができるオイルレベルゲージを、容易かつ安価に提供できる。これは、基本本体及び延長本体をそれぞれ従来公知の射出成形で容易かつ安価に製造できることによる効果である。また、基本本体及び延長本体はそれぞれ比較的短尺に製造できるため、例えば基本本体及び延長本体それぞれの全体を射出成形による一体の樹脂製にしても、各部の寸法精度を高く維持できる効果もある。
【発明を実施するための最良の形態】
【００２０】
以下、本発明の実施形態について図を参照しながら説明する。図１はそれぞれロッド部11,21を有する基本本体１及び延長本体２を接続して構成したオイルレベルゲージ３を表した斜視図、図２は基本本体１及び延長本体２の接続関係を表した斜視図、図３は基本本体１のロッド部11を中間省略して表した正面図、図４は基本本体１のロッド部11を中間省略して表した断面図、図５は延長本体２のロッド部21を中間省略して表した正面図、図６は延長本体２のロッド部21を中間省略して表した断面図、図７は図３中Ａ−Ａ断面図、図８は図５中Ｂ−Ｂ断面図、図９は基本本体１のゲージ部12と延長本体２の接続部23との接続状態を表した断面図、図10はロッド部のない基本本体４に２つの延長本体５,５を接続したオイルレベルゲージ６を表した図１相当斜視図であり、図11は基本本体４及び２つの延長本体５,５の接続関係を表した図２相当斜視図である。各図中、ゲージ部12,22,42,52の目盛線121,221,421,521は形成範囲を破線で囲んで図示している。
【００２１】
本発明のオイルレベルゲージ３は、図１及び図２に見られるように、後述するように、基本本体１のみで構成できるほか、基本本体１及び延長本体２の２部材を接続して構成することができる。後者の場合、オイルレベルゲージ３の全長は、接続部位となる基本本体１のゲージ部12と、延長本体２の接続部23との重なり部分を除き、概ね基本本体１及び延長本体２の長さの和になる。また、前記重なり部分を除き、基本本体１及び延長本体２の各ロッド部11,21が可撓性を備えているため、基本本体１及び延長本体２を接続した全体は、オイルレベルゲージ３としても必要充分な可撓性を発揮できる。
【００２２】
基本本体１は、図３及び図４に見られるように、ハンドル部13、ロッド部11及びゲージ部12からなる樹脂一体成形品である。本例のハンドル部13は、計測用パイプＰ（図３参照）の開口端に嵌め込む円筒状胴体131の上端に手に持って取り扱うためのリング132を設け、同じく円筒状胴体131の下端に円環状のシールリング133を外嵌している。円筒状胴体131を計測用パイプＰに嵌め込むと、シールリング133が計測用パイプＰに内接して、シール性（気密性、液密性）を実現する。ロッド部11は、前記ハンドル部13の円筒状胴体131から下方に向けて延設している断面長方形の扁平な樹脂製板111であり、本例では円筒状胴体131から樹脂製板111に向けて側面視三角形状の補強用リブ112を設けている。このロッド部11は、樹脂製板111の面直交方向に曲がる可撓性を発揮する。
【００２３】
ゲージ部12は、ロッド部11を構成する扁平な樹脂製板111の下端部分に形成した目盛線121と、この目盛線121を上下に挟んでロッド部11の延在方向に直交して形成した上目盛凸条122及び下目盛凸条123と、上目盛凸条122より上で前記樹脂製板111の側縁に立設した壁面の上方内嵌部124,124と、下目盛凸条123より下で前記樹脂製板111の側縁に立設した壁面の下方内嵌部125,125とから構成される。目盛は、上目盛凸条122を上端、下目盛凸条123を下端として、両凸条122,123に挟まれる目盛線から構成する。
【００２４】
上方内嵌部124及び下方内嵌部125は、図４に見られるように、樹脂製板111の表面側に設けており、樹脂製板111の裏面を含む長方形の倣い断面形状を、外断面形状にしている（図７参照）。また、本例の上方内嵌部124は、接続部23の上端表側が当接する掛止段差126を有しており、樹脂製板111の裏面には前記掛止段差126と同位置に、接続部23の上端裏側が当接する掛止壁面127,127を設けている。図示から明らかなように、上方内嵌部124及び下方内嵌部125は、いずれも目盛りを構成する上目盛凸条122及び下目盛凸条123よりも樹脂製板111からの高さが高く、目盛が計測用パイプに擦れ合うことを防止する目盛保護作用を発揮する。
【００２５】
基本本体１のゲージ部12は、延長本体２の接続部23を接続するための形状を有する上方内嵌部124及び下方内嵌部125を設けたほかは、従来のオイルレベルゲージ同様に、目盛線121、上目盛凸条122及び下目盛凸条123からなる目盛を備えている。また、本例の基本本体１は、ロッド部21により一定長さを有していることから、最も短尺なオイルレベルゲージ31（図２参照）として単独の使用が可能である。すなわち、本発明のオイルレベルゲージ３は、必要な長さの基本本体１を作って使用するほか、必要に応じて延長本体２を作って基本本体１に接続し、全長を延長する態様で使用できる。
【００２６】
延長本体２は、図５及び図６に見られるようにハンドル部がなく、基本本体１のゲージ部12に対する接続部23、ロッド部21及びゲージ部22を備えた樹脂一体成形品であり、単独での使用は考慮されていない。あくまで基本本体１に接続し、オイルレベルゲージ３の全長を延長する働きのみを有する。本例の延長本体２のロッド部21及びゲージ部22は、上述した基本本体１のロッド部11及びゲージ部12と同じ構造である。このように、基本本体１及び延長本体２のゲージ部12,22が同じであるため、基本本体１に延長本体２を接続するように、延長本体２,２相互が接続できる。
【００２７】
接続部23は、基本本体１のゲージ部12又は延長本体２のゲージ部22に設けた上方内嵌部124,224又は下方内嵌部125,225と樹脂製板111,211とが形成する外断面形状に等しい内断面形状（図８参照）を有し、上方に開口した直方体形状の樹脂製箱体231である。ロッド部21は、前記接続部23下端から下方に延設されており、基本本体１のハンドル部13及びロッド部11の関係のように、接続部23から樹脂製板211に向けて側面視三角形状の補強用リブ212を設けている。ゲージ部22の下目盛凸条223に上方から係合する内向きの掛止爪232は、樹脂製箱体231の一面に設けたスリット233内に下方へ延ばした弾性片234の先端に形成し、前記樹脂製箱体231の一面に対して弾支している。また、本例の接続部23は、ゲージ部12の樹脂製板111の表面に当接する支持凸条235を、前記樹脂製箱体231の一面の内側、掛止爪232下方に設けている。
【００２８】
ゲージ部12及び接続部23は、図９に見られるように、嵌合関係で接続する。ゲージ部12の樹脂製板111に対して接続部23の樹脂製箱体231を下方から嵌合していくと、弾支状態の掛止爪232がゲージ部12の上目盛凸条222に続いて下目盛凸条223を乗り越える。このとき、接続部23の樹脂製箱体231の上端が上方内嵌部224の掛止段差226と、樹脂製板111の裏面に設けた掛止壁面227とに突き当たる。更に、ゲージ部12の樹脂製板111の下端が樹脂製箱体231内の底面に突き当たり、接続部23は掛止爪232を挟んだ上下でそれぞれ位置固定されることになる。そして掛止爪232が下目盛凸条223に上方から係合することで、ゲージ部12及び接続部23の接続が完了する。
【００２９】
このゲージ部12及び接続部23の接続状態は、ゲージ部12の外断面形状と、接続部23の内断面形状とが一致しているため、ゲージ部12及び接続部23の嵌合関係が緊密になり、安定している。そして、上述の通り、接続部23は掛止爪232を挟んだ上下で位置固定され、更に掛止爪232が下目盛凸条223に上方から係合して抜け止めを図っているので、基本本体１及び延長本体２は、通常の使用態様ではもはや分離できないことになる。基本本体１に対する延長本体２の接続は、設計要求に応じて、製品としてのオイルレベルゲージ３の全長を延長するものであるから、ゲージ部12及び接続部23の接続状態は、安定かつ分離不能であることが望ましい。このように、本発明のオイルレベルゲージ３のゲージ部12及び接続部23の接続は、前記要求を満たすものである。
【００３０】
オイルレベルゲージ６を延長する方向に全長を調整することを考えた場合、図10及び図11に見られるように、ロッド部を有さない基本本体４に、必要な数だけ延長本体５,５を順次接続していく構成が考えられる。この場合、基本本体４はロッド部を有さないだけで、基本的には上述の例（図１〜図９）と同じ構成である。すなわち、ハンドル部43は、円筒状胴体431の上端にリング432を設け、下端側にシールリング433を嵌着している。ゲージ部42を構成する樹脂製板428は、前記円筒状胴体431から下方に延びている。ゲージ部42は、樹脂製板428上に掛止段差426を有する上方内嵌部424、上目盛凸条422、下目盛凸条423及び下方内嵌部425を順に設け、上方内嵌部424の掛止段差426と同位置で樹脂製板428の裏面に掛止壁面427を設けている。しかし、ロッド部を有さない基本本体４は単独使用が通常考えられないため、本例では目盛線を設けていない。このほか、本例では、上方内嵌部424が、円筒状胴体431から樹脂製板428に向けた補強用リブを兼ねており、また掛止壁面427は、樹脂製板428の側縁に設けている。
【００３１】
延長本体５は、上述の例（図１〜図９）と同じく接続部53、ロッド部51及びゲージ部52を備えた樹脂一体成形品である。接続部53は、基本本体１のゲージ部42又は延長本体５のゲージ部52に設けた上方内嵌部424,524又は下方内嵌部425,525と樹脂製板411,511とが形成する外断面形状に等しい内断面形状（図８参照）を有し、上方に開口した直方体形状の樹脂製箱体531である。ロッド部51は、前記接続部53下端から下方に延設されており、接続部53から樹脂製板511に向けて側面視三角形状の補強用リブ512を設けている。ゲージ部42の下目盛凸条423に上方から係合する内向きの掛止爪532は、樹脂製箱体531の一面に設けたスリット533内に下方へ延ばした弾性片534の先端に形成し、前記樹脂製箱体531の一面に対して弾支している。
【００３２】
接続部の掛止爪による抜け止めは、上目盛凸条又は下目盛凸条に限らず、例えば凸条からなる目盛線に掛止爪を係合させてもよいし、更に別の掛止凸条をゲージ部に設けてもよい。凸条からなる目盛線に掛止爪を係合する例は、上述の例（図１〜図11）に準じるため、次には掛止凸条を設けた例を説明する。図12は掛止凸条728を設けたゲージ部72を有する基本本体７のロッド部71を中間省略して表した正面図、図13は掛止凸条728を設けたゲージ部72を有する基本本体７のロッド部71を中間省略して表した断面図、図14は掛止凸条828を設けたゲージ部82に接続する延長本体８のロッド部81を中間省略して表した正面図、図15は掛止凸条828を設けたゲージ部82に接続する延長本体８のロッド部81を中間省略して表した断面図であり、図16は掛止凸条728を設けた基本本体７のゲージ部72と延長本体８の接続部83との接続状態を表した断面図である。各図中、ゲージ部72,82の目盛線721,821は形成範囲を破線で囲んで図示している。
【００３３】
基本本体７は、図12及び図13に見られるように、ハンドル部73、ロッド部71及びゲージ部72からなる樹脂一体成形品である点や、ハンドル部73及びロッド部71の各構成は、上述の例（図１〜図９）と同じである。相違点は、ゲージ部72に対して、接続部83の掛止爪832に係合する掛止凸条728を別途設けた点のみである。この掛止凸条728は、目盛が計測用パイプに擦れ合うことを防止する目盛保護作用も有する。オイルレベルゲージ９としての可撓性は、基本本体７及び延長本体８の各ロッド部71,81により確保されている。
【００３４】
本例の掛止凸条728,828は、下目盛凸条723,823より下、ゲージ部72,82の樹脂製板711,811下端に設けた断面山形で前記下目盛凸条723,823に平行な凸条である。オイルレベルゲージ９は、目盛線721,821に付着した油を拭き取ってから計測用パイプＰに挿入し、新たにゲージ部72,82に付着した油からタンク油量を計測する。ここで、前記油の拭き取りには、できるだけ凹凸が目盛線721,821近辺に存在しないことが望ましい。掛止凸条728,828を設けると、目盛線721,821はもちろん、上目盛凸条722,822及び下目盛凸条723,823も低く作ることができ、目盛線721,821に付着した油を拭き取りやすくなるほか、結果として接続部83の樹脂製箱体831も薄く作ることができるようになる。このほか、本例では、ゲージ部72,82の樹脂製板711、811の最下端に掛止凸条728,828を設けたため、下方内嵌部を省略している。
【００３５】
延長本体８は、図14及び図15に見られるように、基本本体７のゲージ部72に対する接続部83、ロッド部81及びゲージ部82からなる樹脂一体成形品である点は、上述の例（図１〜図９）と同じ、ロッド部81及びゲージ部82は上記基本本体７（図12及び図13）と同じである。また、接続部83は、基本本体７のゲージ部72又は延長本体８のゲージ部82の各樹脂製板711,811に設けた上方内嵌部724,824と樹脂製板711,811とが形成する長方形状の外断面形状に等しい内断面形状（図８参照）を有し、上方に開口した樹脂製箱体831である点も同じである。相違点は、ゲージ部72,82の掛止凸条728,828に係合する掛止爪832が樹脂製箱体831の下方に設けられている点のみであり、樹脂製箱体831の一面のスリット833内に下方へ延ばした弾性片834の先端に掛止爪832を形成した構成は同じである。
【００３６】
ゲージ部72及び接続部83は、図14に見られるように、上述の例（図１〜図９）同様の嵌合関係で接続する。ゲージ部72の樹脂製板711に対して接続部83の樹脂製箱体831を下方から嵌合していくと、弾支状態の掛止爪832が上目盛凸条822、下目盛凸条823に続いて掛止凸条828を乗り越える。このとき、接続部832の樹脂製箱体831の上端が上方内嵌部824の掛止段差826に突き当たり、ゲージ部72の樹脂製板711の下端がの樹脂製箱体831内の底面に突き当たり、接続部83は掛止爪832を挟んだ上下でそれぞれ位置固定される。そして、掛止爪832が掛止凸条828に上方から係合することで、ゲージ部72及び接続部83の接続が完了する。
【００３７】
本例のオイルレベルゲージ９におけるゲージ部72,82及び接続部83の接続状態は、ゲージ部72,82の上方内嵌部724,824が樹脂製板711,811と共に形成する外断面形状と、接続部83の樹脂製箱体831が形成する内断面形状とが一致しているため、ゲージ部72,82及び接続部83の嵌合関係は緊密になり、安定している。そして、接続部83の樹脂製箱体831の上端が上方内嵌部824の掛止段差826に当接し、ゲージ部72,82の樹脂製板711,811の下端が樹脂製箱体931内の底面に突き当たることにより、接続部83は掛止爪832を挟んだ上下で位置固定され、更にゲージ部72,82の掛止凸条728,828を掛止爪832及び樹脂製箱体831の底面で挟むことにより、前記接続状態を安定させている。
【図面の簡単な説明】
【００３８】
【図１】それぞれロッド部を有する基本本体及び延長本体を接続して構成したオイルレベルゲージを表した斜視図である。
【図２】基本本体及び延長本体の接続関係を表した斜視図である。
【図３】基本本体のロッド部を中間省略して表した正面図である。
【図４】基本本体のロッド部を中間省略して表した断面図である。
【図５】延長本体のロッド部を中間省略して表した正面図である。
【図６】延長本体のロッド部を中間省略して表した断面図である。
【図７】図３中Ａ−Ａ断面図である。
【図８】図５中Ｂ−Ｂ断面図である。
【図９】基本本体のゲージ部と延長本体の接続部との接続状態を表した断面図である。
【図１０】ロッド部のない基本本体に２つの延長本体を接続したオイルレベルゲージを表した図１相当斜視図である。
【図１１】基本本体及び２つの延長本体の接続関係を表した図２相当斜視図である。
【図１２】掛止凸条を設けたゲージ部を有する基本本体のロッド部を中間省略して表した正面図である。
【図１３】掛止凸条を設けたゲージ部を有する基本本体のロッド部を中間省略して表した断面図である。
【図１４】掛止凸条を設けたゲージ部に接続する延長本体のロッド部を中間省略して表した正面図である。
【図１５】掛止凸条を設けたゲージ部に接続する延長本体のロッド部を中間省略して表した断面図である。
【図１６】掛止凸条を設けた基本本体のゲージ部と延長本体の接続部との接続状態を表した断面図である。
【符号の説明】
【００３９】
１  基本本体
11  ロッド部
111  樹脂製板
12  ゲージ部
121  目盛線
122  上目盛凸条
123  下目盛凸条
124  上方内嵌部
125  下方内嵌部
126  掛止段差
13  ハンドル部
２  延長本体
21  ロッド部
211  樹脂製板
22  ゲージ部
221  目盛線
222  上目盛凸条
223  下目盛凸条
224  上方内嵌部
225  下方内嵌部
226  掛止段差
23  接続部
231  樹脂製箱体
232  掛止爪
３  オイルレベルゲージ
４  基本本体
42  ゲージ部
43  ハンドル部
５  延長本体
51  ロッド部
52  ゲージ部
53  接続部
６  オイルレベルゲージ
７  基本本体
71  ロッド部
72  ゲージ部
73  ハンドル部
８  延長本体
81  ロッド部
82  ゲージ部
83  接続部
９  オイルレベルゲージ
Ｐ  計測用パイプ
【図１】
2006098210.tif 000003
【図２】
2006098210.tif 000004
【図３】
2006098210.tif 000005
【図４】
2006098210.tif 000006
【図５】
2006098210.tif 000007
【図６】
2006098210.tif 000008
【図７】
2006098210.tif 000009
【図８】
2006098210.tif 000010
【図９】
2006098210.tif 000011
【図１０】
2006098210.tif 000012
【図１１】
2006098210.tif 000013
【図１２】
2006098210.tif 000014
【図１３】
2006098210.tif 000015
【図１４】
2006098210.tif 000016
【図１５】
2006098210.tif 000017
【図１６】
2006098210.tif 000018